(57)【要約】【課題】手に持ったときのフィット感を損なうことなく、複数の操作スイッチのうちから使用状況に応じたスイッチのみを操作可能とするリモートコントロール装置を提供する。【解決手段】一方の面側から露出する第１スイッチパターン４１Ａと、他方の面側から露出する第２スイッチパターン４１Ｂとを、被操作対象となる機器、及びその使用状況に応じて選択する場合に、一方の面側のスイッチパターンが選択されたとき、他方の面側のスイッチパターンをケース２０によって覆う。これにより、ユーザは、リモートコントロール装置１０を手に持ったときのフィット感を損なうことなく、状況等に応じて、使用するスイッチパターンを変更することができる。【選択図】図２
2011024070.tif 000002
【特許請求の範囲】
【請求項１】
所定の装置に指令を入力するためのリモートコントロール装置であって、
複数の操作スイッチからなるスイッチパターンが複数形成されたフレキシブルシートと、
前記フレキシブルシートを、前記スイッチパターンごとに折り曲げて保持する保持部材と、
前記複数のスイッチパターンのうち、ただ一つのスイッチパターンの操作を可能とする切り替え手段と、
を備えるリモートコントロール装置。
【請求項２】
前記フレキシブルシートは、一方の面に、複数の前記操作スイッチからなる第１のスイッチパターン及び第２のスイッチパターンが形成され、
前記保持部材は、一側に前記第１のスイッチパターンが位置し、他側に前記第２のスイッチパターンが位置するように折れ曲がった状態で、前記フレキシブルシートを保持し、
前記切り替え手段は、前記第１のスイッチパターン及び前記第２のスイッチパターンのうちの一方からの前記指令の入力を有効とし、他方からの前記指令の入力を無効とする請求項１に記載のリモートコントロール装置。
【請求項３】
複数の前記スイッチパターンそれぞれを構成する複数の前記操作スイッチは、共通の導体で接続されている請求項１又は２に記載のリモートコントロール装置。
【請求項４】
複数の前記操作スイッチは、前記スイッチパターン相互間での接続が、直列接続である請求項１又は２に記載のリモートコントロール装置。
【請求項５】
前記切り替え手段は、
操作を可能とする前記スイッチパターン以外の前記スイッチパターンを覆う、前記保持部材に対して着脱可能なケースを有する請求項１乃至４のいずれか一項に記載のリモートコントロール装置。
【請求項６】
前記切り替え手段は、
前記スイッチパターンの前記操作スイッチを有効化する有効化スイッチを、前記スイッチパターン毎に有し、
前記ケースは、操作を可能とする前記スイッチパターンの前記有効化スイッチを動作させる請求項５に記載のリモートコントロール装置。
【請求項７】
前記有効化スイッチは、前記フレキシブルシートに形成されている請求項６に記載のリモートコントロール装置。
【請求項８】
表示画面を有し、前記第１のスイッチパターンが形成された第１の操作面と、前記第２のスイッチパターンが形成された第２の操作面とに平行な軸周りに回動可能に設けられた表示手段を更に備え、
前記切り替え手段は、
前記第１のスイッチパターンの前記操作スイッチを有効化する第１の有効化スイッチと、
前記第２のスイッチパターンの前記操作スイッチを有効化する第２の有効化スイッチと、を含み、
前記表示手段は、前記表示画面が前記第１の操作面側にある場合に、前記第１の有効化スイッチを動作させ、前記表示画面が前記第２の操作面側にある場合に、前記第２の有効化スイッチを動作させる請求項２に記載のリモートコントロール装置。
【発明の詳細な説明】
【技術分野】
【０００１】
本発明は、リモートコントロール装置に関し、更に詳しくは、被操作対象としての装置に指令を送信するためのリモートコントロール装置に関する。
【背景技術】
【０００２】
特許文献１には、一方の面側に押ボタンスイッチが配置され、他方の面側にスライドスイッチが配置されたリモートコントロール装置が記載されている。このリモートコントロール装置では、液晶板、押ボタンスイッチ、赤外線発光素子、スライドスイッチなど、表面側と裏面側に配置されるスイッチ類が、２つ折りにされたフレキシブル配線板に取り付けられている。
【０００３】
また、特許文献２には、一方の面にマニュアル操作系の操作ボタンが配置され、他方の面に自動コース系の操作ボタンが配置されたリモートコントロール装置が記載されている。このリモートコントロール装置には、一方の面の電源スイッチがＯＮになった場合に、他方の面の操作ボタンを無効化する禁止回路が設けられている。
【先行技術文献】
【特許文献】
【０００４】
【特許文献１】特開平０８−０２３５８８号公報
【特許文献２】特開２００１−０００４９４号公報
【発明の概要】
【発明が解決しようとする課題】
【０００５】
しかしながら、上述したリモートコントロール装置では、一方の面側のスイッチ等を操作している際に、誤って他方の面側のスイッチ等を操作してしまうことが考えられる。また、表裏両面にスイッチ等が配置されると、機器の表面に凹凸ができてしまい、装置を持ったときのフィット感が損なわれる場合がある。
【０００６】
本発明は、上述の事情の下になされたもので、装置を持ったときのフィット感を損なうことなく、複数の操作スイッチのうちから使用状況に応じたスイッチのみを操作可能とするリモートコントロール装置を提供することを目的とする。
【課題を解決するための手段】
【０００７】
上記目的を達成するため、本発明のリモートコントロール装置は、所定の装置に指令を入力するためのリモートコントロール装置であって、複数の操作スイッチからなるスイッチパターンが複数形成されたフレキシブルシートと、前記フレキシブルシートを、前記スイッチパターンごとに折り曲げて保持する保持部材と、前記複数のスイッチパターンのうち、ただ一つのスイッチパターンの操作を可能とする切り替え手段と、を備える。
【発明の効果】
【０００８】
装置を持ったときのフィット感を損なうことなく、複数の操作スイッチのうちから使用状況に応じたスイッチのみを操作可能とすることができる。
【図面の簡単な説明】
【０００９】
【図１】本発明の第１の実施形態に係るリモートコントロール装置の斜視図である。
【図２】リモートコントロール装置の展開斜視図である。
【図３】フレキシブル配線板の平面図である。
【図４】一体化したケースとフレームの端部を示す図である。
【図５】リモートコントロール装置の回路図である。
【図６】第３の実施形態に係るリモートコントロール装置の配線図である。
【図７】第４の実施形態に係るリモートコントロール装置の配線図である。
【図８】第５の実施形態に係るリモートコントロール装置の配線図である。
【図９】図９（Ａ）〜図９（Ｃ）は、第６の実施形態に係るリモートコントロール装置を構成するフレキシブル配線板の平面図である。
【図１０】図１０（Ａ）は、第７の実施形態に係るリモートコントロール装置を構成するフレームとフレキシブル配線板の斜視図である。図１０（Ｂ）は、第７の実施形態に係るリモートコントロール装置を構成するケースの斜視図である。
【図１１】第８の実施形態に係るリモートコントロール装置の斜視図である。
【発明を実施するための形態】
【００１０】
《第１の実施形態》
以下、本発明の第１の実施形態を、図１〜図５を参照しつつ説明する。図１は本実施形態に係るリモートコントロール装置１０の斜視図である。このリモートコントロール装置１０は、無線により例えば空気調和装置などの機器に、ユーザからの指令を送信するための装置である。図１に示されるように、リモートコントロール装置１０は、ケース２０、フレーム３０、複数のスイッチが形成されたフレキシブル配線板４０などを含んで構成されている。
【００１１】
図２は、リモートコントロール装置１０の展開斜視図である。図２を参照するとわかるように、前記ケース２０は、長手方向をＹ軸方向とする長方形の底板部２１と、底板部２１の＋Ｘ側及び−Ｘ側の外縁と−Ｙ側の外縁とに沿って設けられたＵ字状の枠部２２の２部分からなる部材である。また、枠部２２の＋Ｘ側の内壁面及び−Ｘ側の内壁面には、長手方向をＹ軸方向とするレール部２３が設けられている。
【００１２】
前記フレーム３０は、長手方向をＹ軸方向とし、上面及び下面に開口部３１Ａ，３１Ｂが形成された長方形の枠体である。このフレーム３０の＋Ｘ側及び−Ｘ側の外壁面それぞれには、Ｙ軸方向に伸びる溝３３が形成されている。また、フレーム３０の−Ｙ側の外壁には、Ｙ軸方向に貫通する２つの円形開口３２Ａ，３２Ｂが、Ｘ軸方向に隣接して形成されている。
【００１３】
前記フレキシブル配線板４０は、ポリイミドフィルムをベース材料とする柔軟性のある基板である。図３は、フレキシブル配線板４０の平面図である。図３に示されるように、フレキシブル配線板４０は、長手方向をＹ軸方向とする長方形状に整形されている。そして、上面（＋Ｚ側の面）の−Ｙ側の領域４０ａに複数の操作スイッチ４２から構成された第１スイッチパターン４１Ａが形成され、＋Ｙ側の領域４０ｂに複数の操作スイッチ４３から構成された第２スイッチパターン４１Ｂが形成されている。
【００１４】
フレキシブル配線板４０は、中央の２本の点線の位置で、図２に示されるように、第１スイッチパターン４１Ａが形成された領域４０ａと、第２スイッチパターン４１Ｂが形成された領域４０ｂが外側にくるように二つ折りにされる。そして、折り曲げられたフレキシブル配線板４０は、フレーム３０の内部に収容される。この状態のときには、図１及び図２を参照するとわかるように、フレキシブル配線板４０に形成された第１スイッチパターン４１Ａが、フレーム３０の開口部３１Ａから露出し、第２スイッチパターン４１Ｂが、フレーム３０の開口部３１Ｂから露出した状態となる。
【００１５】
フレキシブル配線板４０のＸ軸方向の寸法は、フレーム３０の開口部３１Ａ，３１ＢのＸ軸方向の寸法よりもやや大きくなっている。このため、フレーム３０の内部に収容されたフレキシブル配線板４０は、第１スイッチパターン４１Ａが形成された面の外縁部と、第２スイッチパターン４１Ｂが形成された面の外縁部が、フレーム３０の内側の面に当接した状態となっている。そして、図面には現れていないが、２つ折りになったフレキシブル配線板４０の間には、フレキシブル配線板４０の位置を規制する部材と、操作スイッチ４２，４３それぞれの操作（押下）を検出するための検出回路及び指令を送信するための回路などが形成された基板とが配置されている。
【００１６】
上述のように構成されたフレキシブル配線板４０を収容したフレーム３０と、ケース２０は、図２を参照するとわかるように、まず、ケース２０に形成されたレール部２３の＋Ｙ側端を、フレーム３０に形成された溝３３の−Ｙ側に挿入する。そして、フレーム３０をケース２０の内部へ摺動させることで、図１に示されるように、一体化することができる。なお、図１では、第１スイッチパターン４１Ａが露出し、第２スイッチパターン４１Ｂがケース２０によって覆われているが、フレーム３０を、図２に示される状態から第２スイッチパターン４１Ｂが上面側に位置するように反転させてから、ケース２０と一体化させた場合には、第２スイッチパターン４１Ｂが露出し、第１スイッチパターン４１Ａがケース２０によって覆われた状態となる。
【００１７】
図４は、上述のように一体化されたケース２０及びフレーム３０の−Ｙ側端部を示す図である。図４に示されるように、フレーム３０の内側には、円形開口３２Ａ，３２Ｂをそれぞれ塞ぐように、タクトスイッチ３５Ａとタクトスイッチ３５Ｂとが配置されている。
【００１８】
本実施形態では、図１に示されるように、第１スイッチパターン４１Ａが露出し、第２スイッチパターン４１Ｂが、ケース２０によって覆われた場合に、図４に示されるように、タクトスイッチ３５Ａが、ケース２０の枠部２２から＋Ｙ側に突出する突出部２４によって動作される。逆に、第２スイッチパターン４１Ｂが露出し、第１スイッチパターン４１Ａが、ケース２０によって覆われた場合には、タクトスイッチ３５Ｂが、ケース２０に形成された突出部２４によって動作される。
【００１９】
図５は、フレキシブル配線板４０と、タクトスイッチ３５Ａ，３５Ｂと、コネクタ４５とを含んで構成される回路図である。図５に示されるように、フレキシブル配線板４０の操作スイッチ４２，４３、及びタクトスイッチ３５Ａ，３５Ｂは、通常開となり、動作時に閉となるノーマルオープンタイプの接点を有するスイッチである。そして、フレキシブル配線板４０には、第１スイッチパターン４１Ａを構成する複数の操作スイッチ４２と抵抗Ｒとが直列となり、操作スイッチ４２同士が並列となるように、操作スイッチ４２及び抵抗Ｒが形成されている。また、第２スイッチパターン４１Ｂを構成する複数の操作スイッチ４３と抵抗Ｒとが直列となり、操作スイッチ４３同士が並列となるように、操作スイッチ４３及び抵抗Ｒが形成されている。
【００２０】
第１スイッチパターン４１Ａを構成する操作スイッチ４２は、一端がコネクタ４５を介して、上述の検出回路に接続され、他端が抵抗Ｒ及びタクトスイッチ３５Ａを介して、電源（不図示）のマイナス極に接続されたコモンラインＣＯＭに接続されている。また、第２スイッチパターン４１Ｂを構成する操作スイッチ４３は、一端がコネクタ４５を介して、上述の検出回路に接続され、他端が抵抗Ｒ及びタクトスイッチ３５Ｂを介して、コモンラインＣＯＭに接続されている。これにより、操作スイッチ４２，４３は、操作スイッチ４２，４３の状態（ＯＮ又はＯＦＦ）を検出するマイクロプロセッサ４６の入力ポートに、コネクタ４５を介して接続される。また、入力ポートは各々プルアップされている。
【００２１】
本実施形態では、マイクロプロセッサ４６により、タクトスイッチ３５Ａが動作している場合にのみ、第１スイッチパターン４１Ａを構成する操作スイッチ４２の操作が検出され、タクトスイッチ３５Ｂが動作している場合にのみ、第２スイッチパターン４１Ｂを構成する操作スイッチ４３の操作が検出される。
【００２２】
具体的には、図１に示されるように、第１スイッチパターン４１Ａがケース２０から露出している場合には、図４を参照するとわかるように、タクトスイッチ３５Ａのみが動作した状態となる。この状態のときには、リモートコントロール装置１０は、ケース２０から露出する第１スイッチパターン４１Ａを介してのみ、ユーザからの入力を受け付けることが可能になる。また、第２スイッチパターン４１Ｂがケース２０から露出している場合には、タクトスイッチ３５Ｂのみが動作した状態となる。この状態のときには、リモートコントロール装置１０は、ケース２０から露出する第２スイッチパターン４１Ｂを介してのみ、ユーザからの入力を受け付けることが可能になる。
【００２３】
以上説明したように、本第１の実施形態に係るリモートコントロール装置１０は、第１スイッチパターン４１Ａ及び第２スイッチパターン４１Ｂのうちの一方を選択的にケース２０から露出させることができる。したがって、ユーザは、使用状況や使用機器に応じて、使用するスイッチパターンを変更することができる。
【００２４】
また、本第１の実施形態に係るリモートコントロール装置１０は、一方のスイッチパターンがケース２０から露出したときには、他方がケース２０によって覆われる構造となっている。したがって、ユーザは、リモートコントロール装置１０を使用するために当該リモートコントロール装置１０を手に持った場合に、良好なフィット感を得ることができる。
【００２５】
また、本第１の実施形態に係るリモートコントロール装置１０は、フレーム３０にケース２０が装着された場合に限り、ケース２０から露出したスイッチパターンの操作スイッチ４２或いは操作スイッチ４３を操作することが可能となる。これにより、ユーザは、フレーム３０に対してケース２０の着脱を行う際に、誤って操作スイッチ４２，４３を操作してしまったとしても、リモートコントロール装置１０によって操作対象となる装置が起動等されることがない。したがって、操作対象機器を誤作動させることを回避することができる。
【００２６】
また、本第１の実施形態に係るリモートコントロール装置１０では、第１スイッチパターン４１Ａ、及び第２スイッチパターン４１Ｂが、１つのフレキシブル配線板４０に形成されている。このため、フレキシブル配線板４０に形成されるスイッチパターンを変更するだけで、種々の機器に対応するリモートコントロール装置１０を容易に製造することができる。したがって、設計変更などの開発コストを削減することが可能となる。
【００２７】
なお、本第１の実施形態に係るリモートコントロール装置１０は、第１スイッチパターン４１Ａ、及び第２スイッチパターン４１Ｂのいずれかを覆うケース２０を有している。しかしながら、本発明はこれに限定されるものではなく、例えば、フレーム３０に、タクトスイッチ３５Ａ，３５Ｂを動作させるスイッチなどを設けることで、ケース２０を省略することができる。本第１の実施形態に係るリモートコントロール装置１０は、フレーム３０から露出する第１スイッチパターン４１Ａ、及び第２スイッチパターン４１Ｂがフレキシブル配線板４０に形成されている。このため、操作スイッチ４２，４３による凹凸も少なく、ケース２０が省略されたとしても、ユーザは十分なフィット感を得ることができる。
【００２８】
《第２の実施形態》
上記第１の実施形態では、タクトスイッチ３５Ａ，３５Ｂによって、入力が可能なスイッチパターンが決定された。しかしながら、リモートコントロール装置１０は、タクトスイッチ３５Ａ，３５Ｂを用いることなく、ケース２０がフレーム３０に装着された際に、ケース２０によって覆われたスイッチパターンの操作スイッチが常時操作された状態（オン状態）になるような構成としてもよい。
【００２９】
この場合には、リモートコントロール装置１０の検出回路などで、常時操作された状態の操作スイッチが含まれるスイッチパターンからの入力を無効にすることで、第１の実施形態に係るリモートコントロール装置１０と同等のリモートコントロール装置１０を実現することができる。これにより、タクトスイッチ３５Ａ，３５Ｂを省略することができ、装置のさらなる低コスト化を図ることができる。
【００３０】
《第３の実施形態》
上記第１の実施形態では、第１スイッチパターン４１Ａを構成する操作スイッチ４２と、第２スイッチパターン４１Ｂを構成する操作スイッチ４３は、それぞれの一端が個別にコネクタ４５に接続されている。しかしながら、リモートコントロール装置１０は、一例として、図６に示されるように、一組の操作スイッチ４２と操作スイッチ４３とが、それぞれの一端が相互に接続された状態でフレキシブル配線板４０に形成され、各接続点が、一本の導体を介してコネクタ４５に接続されていてもよい。これにより、図５と図６とを比較するとわかるように、コネクタ４５に接続される導体の本数が少なくなるため、コネクタ４５の小型化、フレキシブル配線板４０の小型化、ひいてはリモートコントロール装置１０の小型化及び低コスト化を図ることができる。また、導体の本数が少なくなることに起因して、結線の信頼性も向上する。
【００３１】
《第４の実施形態》
上記第１の実施形態では、図５に示されるように、第１スイッチパターン４１Ａの操作スイッチ４２と、第２スイッチパターン４１Ｂの操作スイッチ４３とは、並列に接続されている。しかしながら、リモートコントロール装置１０は、図７に示されるように、一組の操作スイッチ４２と操作スイッチ４３とが直列に接続され、第２の実施形態と同様に、ケース２０によって覆われたスイッチパターンの操作スイッチが常時操作された状態になるような構成であってもよい。この場合には、何らかの方法で、覆われているスイッチパターンを検出することで、他方のスイッチパターンの操作を検出することが可能となる。本実施形態では、図５と図７を比較するとわかるように、導体の総量が減少するため、フレキシブル配線板４０の小型化、ひいてはリモートコントロール装置１０の小型化及び低コスト化を図ることができる。
【００３２】
《第５の実施形態》
上記第１の実施形態のリモートコントロール装置１０は、一例として図８に示されるように、第１スイッチパターン４１Ａの操作スイッチ４２、及び第２スイッチパターン４１Ｂの操作スイッチ４３が、マイクロコンピュータ６０の入力ポート１〜４に接続されるキーマトリクスを構成していてもよい。
【００３３】
本実施形態では、出力ポート１〜４が、順番にＨレベルとなる。そして、タクトスイッチ３５Ａが動作している場合には、第１スイッチパターン４１Ａの操作スイッチ４２が有効になる。また、タクトスイッチ３５Ｂが動作している場合には、第２スイッチパターン４１Ｂの操作スイッチ４３が有効になる。本実施形態に係るリモートコントロール装置１０のマイクロコンピュータ６０は、Ｈレベルとなった出力ポート１〜４と、Ｈレベルとなった入力ポート１〜４との組み合わせから、どのスイッチパターンの操作スイッチが操作されたかを特定する。また、入力ポート５及び入力ポート６のうち、Ｈレベルとなった入力ポートに基づいて動作しているタクトスイッチを検出する。
【００３４】
本実施形態によれば、フレキシブル配線板４０へ接続される導体の数が、操作スイッチの数の平方根の２倍になるため、フレキシブル配線板４０の小型化、ひいてはリモートコントロール装置１０の小型化及び低コスト化を図ることができる。また、導体の本数が少なくなることに起因して、結線の信頼性も向上する。
【００３５】
《第６の実施形態》
上記第１の実施形態では、フレーム３０の内部に配置されたタクトスイッチ３５Ａ，３５Ｂによって、操作が可能となるスイッチパターンの切り替えを行ったが、これらのタクトスイッチ３５Ａ，３５Ｂに代えて、フレキシブル配線板４０にタクトスイッチ３５Ａ，３５Ｂと同等の役割をする操作スイッチ４４Ａ，４４Ｂを設けてもよい。
【００３６】
この操作スイッチ４４Ａ，４４Ｂは、例えば図９（Ａ）に示されるように、第１スイッチパターン４１Ａと第２スイッチパターン４１Ｂとの間に設けることができる。また、操作スイッチ４４Ａ，４４Ｂは、図９（Ｂ）に示されるように、フレキシブル配線板４０の端部に別途設けられた部分や、図９（Ｃ）に示されるように、フレキシブル配線板４０の側方に別途設けられた部分に設けてもよい。本実施形態では、タクトスイッチ３５Ａ，３５Ｂを省略することができるので、リモートコントロール装置の小型化及び低コスト化を図ることができる。
【００３７】
《第７の実施形態》
上記第１の実施形態では、ケース２０は、第１スイッチパターン４１Ａ及び第２スイッチパターン４１Ｂのいずれかを覆うだけのものであったが、このケース２０は、図１０（Ａ）及び図１０（Ｂ）を参照するとわかるように、操作対象となる機器の状況などを表示する液晶パネル２５などを有していてもよい。
【００３８】
本実施形態のリモートコントロール装置１０では、フレーム３０とケース２０とが一体化されると、ケース２０に形成されたコネクタ部２６に、フレーム３０に設けられたコネクタ部３６が嵌合し、液晶パネル２５とフレーム３０の内部の回路とが電気的に接続される。そして、液晶パネル２５には、突出部２４によって動作したタクトスイッチ３５Ａ，３５Ｂに対応するスイッチパターンに関する情報などが表示される。
【００３９】
《第８の実施形態》
リモートコントロール装置１０は、図１１に示されるように、フレーム３０に対して、Ｙ軸に平行な軸Ｌを中心に回転する液晶ユニット５０を有していてもよい。本実施形態のリモートコントロール装置１０では、タクトスイッチやリミットスイッチからなる検出部３７によって、液晶ユニット５０の画面５０ａが、図１１における上方（＋Ｚ方向）を向いているか、下方（−Ｚ方向）を向いているかが検出される。そして、画面５０ａが上方を向いている場合には、第１スイッチパターン４１Ａからの入力が可能となり、画面５０ａが下方を向いている場合には、第２スイッチパターン４１Ｂからの入力が可能となる。本実施形態では、第１スイッチパターン４１Ａ、及び第２スイッチパターン４１Ｂのいずれを使用する場合にも、液晶ユニット５０の画面５０ａを利用することが可能となる。
【００４０】
以上、本発明の実施形態について説明したが、本発明は上記各実施形態によって限定されるものではない。
【００４１】
例えば、上記各実施形態では、フレキシブルシートに２つのスイッチパターン４１Ａ，４１Ｂが形成されている場合について説明したが、これに限らず、フレキシブルシートには、３つ以上のスイッチパターンが形成され、ケースは、いずれか１つのスイッチパターンのみを露出するような構成であってもよい。
【００４２】
また、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００４３】
本発明は、空気調和装置などの機器を操作するリモートコントロール装置に適している。
【符号の説明】
【００４４】
１０  リモートコントロール装置
２０  ケース
２１  底板部
２２  枠部
２３  レール部
２４  突出部
２５  液晶パネル
２６  コネクタ部
３０  フレーム
３１Ａ，３１Ｂ  開口部
３２Ａ，３２Ｂ  円形開口
３３  溝
３５Ａ，３５Ｂ  タクトスイッチ
３６  コネクタ部
３７  検出部
４０  フレキシブル配線板
４０ａ，４０ｂ  領域
４１Ａ  第１スイッチパターン
４１Ｂ  第２スイッチパターン
４２，４３、４４Ａ，４４Ｂ  操作スイッチ
４５  コネクタ
４６  マイクロプロセッサ
５０  液晶ユニット
５０ａ  画面
６０  マイクロコンピュータ
【図１】
2011024070.tif 000003
【図２】
2011024070.tif 000004
【図３】
2011024070.tif 000005
【図４】
2011024070.tif 000006
【図５】
2011024070.tif 000007
【図６】
2011024070.tif 000008
【図７】
2011024070.tif 000009
【図８】
2011024070.tif 000010
【図９】
2011024070.tif 000011
【図１０】
2011024070.tif 000012
【図１１】
2011024070.tif 000013